【手続補正書】
【提出日】平成21年11月27日(2009.11.27)
【手続補正１】
【補正対象書類名】特許請求の範囲
【補正対象項目名】全文
【補正方法】変更
【補正の内容】
【特許請求の範囲】
【請求項１】
異種の液体を混合して反応させることにより一方の液体の化学分析を行うマイクロ化学分析システムであって、
第１の液体と第２の液体とを合流させて送出する流路と、
前記第１の液体と前記第２の液体の合流点若しくはそれ以降の流路内に介在して、前記流路よりも膨出した所定容積を有し、前記第１の液体と前記第２の液体が一時貯留される混合ポッドと、
前記第１の液体と前記第２の液体の反応結果を検出する分析センサと、
前記分析センサが出力する反応結果を液体の化学的特性を示す物理量に換算する処理手段と、
を備えること、
を特徴とするマイクロ化学分析システム。
【請求項２】
異種の液体を混合して反応させることにより一方の液体の化学分析を行うマイクロ化学分析システムであって、
第１の液体と第２の液体とを合流させて送出する流路と、
前記第１の液体と前記第２の液体の合流点若しくはそれ以降の流路内に介在して、前記流路よりも膨出した所定容積を有し、前記第１の液体と前記第２の液体が一時貯留される混合ポッドと、
前記混合ポッド内に撹拌力を与える混合促進手段と、
前記第１の液体と前記第２の液体の反応結果を検出する分析センサと、
前記分析センサが出力する反応結果を液体の化学的特性を示す物理量に換算する処理手段と、
を備えること、
を特徴とするマイクロ化学分析システム。
【請求項３】
異種の液体を混合して反応を観察することにより一方の液体の化学分析を行うマイクロ化学分析システムであって、
第１の液体と第２の液体とを合流させて送出する流路と、
前記第１の液体と前記第２の液体の合流点若しくはそれ以降の流路内に介在して、前記流路よりも膨出した所定容積を有し、前記第１の液体と前記第２の液体が一時貯留される混合ポッドと、
前記混合ポッド内に撹拌力を与える混合促進手段と、
前記混合ポッド内の前記第１の液体と前記第２の液体の混合の程度を監視する監視手段と、
前記監視手段の監視結果に基づき、前記混合促進手段を制御する混合制御手段と、
前記第１の液体と前記第２の液体の反応結果を検出する分析センサと、
前記分析センサが出力する反応結果を液体の化学的特性を示す物理量に換算する処理手段と、
を備えること、
を特徴とするマイクロ化学分析システム。
【請求項４】
前記混合ポッドは、球形状を有すること、
を特徴とする請求項１乃至３のいずれかに記載のマイクロ化学分析システム。
【請求項５】
前記混合ポッドは、前記流路の延設方向に半径方向を有する円柱形状を有すること、
を特徴とする請求項１乃至３のいずれかに記載のマイクロ化学分析システム。
【請求項６】
前記混合ポッドは、前記流路の延設方向と直交する方向に半径方向を有する円柱形状を有すること、
を特徴とする請求項１乃至３のいずれかに記載のマイクロ化学分析システム。
【請求項７】
前記混合ポッドは、前記流路の一面から円弧形状の一部が膨出する扇形状を有すること、
を特徴とする請求項１乃至３のいずれかに記載のマイクロ化学分析システム。
【請求項８】
前記混合促進手段は、振動波を発生させる圧電素子を含むこと、
を特徴とする請求項２又は３に記載のマイクロ化学分析システム。
【請求項９】
前記混合促進手段は、前記混合ポッドに接し、前記混合ポッドの一部を変形させるアクチュエータを含むこと、
を特徴とする請求項２又は３に記載のマイクロ化学分析システム。
【請求項１０】
前記混合制御手段は、前記監視手段の監視結果に応じて、前記混合促進手段による撹拌力付与を継続又は停止させること、
を特徴とする請求項３記載のマイクロ化学分析システム。
【請求項１１】
前記混合制御手段は、前記監視手段の監視結果に応じて、前記混合促進手段による撹拌力を増減させること、
を特徴とする請求項３記載のマイクロ化学分析システム。
【請求項１２】
前記監視手段は、前記混合ポッド内の投影画像を取得するイメージセンサを含み、監視結果として、前記混合ポッドの投影画像を出力すること、
を特徴とする請求項３記載のマイクロ化学分析システム。
【請求項１３】
前記監視手段は、前記混合ポッド内の投影画像を取得するイメージセンサを含み、監視結果として、前記混合ポッドの投影画像を出力し、
前記混合制御手段は、前記投影画像に基づき、前記混合ポッド内の色調のムラが所定未満であれば撹拌力付与を停止させ、前記混合ポッド内の色調のムラが所定以上であれば撹拌力付与を継続させること、
を特徴とする請求項３記載のマイクロ化学分析システム。
【請求項１４】
前記監視手段は、前記混合ポッド内の投影画像を取得するイメージセンサを含み、監視結果として、前記混合ポッドの投影画像を出力し、
前記混合制御手段は、前記投影画像に基づき、前記混合ポッド内の色調のムラの段階に比例した撹拌力を付与させること、
を特徴とする請求項３記載のマイクロ化学分析システム。
【請求項１５】
混合された異種の液体の反応結果から一方の液体の化学的特性を分析するマイクロ化学分析装置に対して前記反応の結果を出力するマイクロ混合装置であって、
第１の液体と第２の液体とを合流させて送出する流路と、
前記第１の液体と前記第２の液体の合流点若しくはそれ以降の流路内に介在して、前記流路よりも膨出した所定容積を有し、前記第１の液体と前記第２の液体が一時貯留される混合ポッドと、
前記第１の液体と前記第２の液体の反応結果を検出する分析センサと、
を備えること、
を特徴とするマイクロ混合装置。
【請求項１６】
第１の液体と第２の液体とを合流させて送出する流路と、前記第１の液体と前記第２の液体の合流点若しくはそれ以降の流路内に介在して、前記流路よりも膨出した所定容積を有し、前記第１の液体と前記第２の液体が一時貯留される混合ポッドとを備えるマイクロ混合装置に接続され、このマイクロ混合装置から出力された液体の反応結果から、一方の液体の化学的特性を分析するマイクロ化学分析装置であって、
前記混合ポッド内に撹拌力を与える混合促進手段と、
前記反応結果を液体の化学的特性を示す物理量に換算する処理手段と、
を備えること、
を特徴とするマイクロ化学分析装置。
【請求項１７】
第１の液体と第２の液体とを合流させて送出する流路と、前記第１の液体と前記第２の液体の合流点若しくはそれ以降の流路内に介在して、前記流路よりも膨出した所定容積を有し、前記第１の液体と前記第２の液体が一時貯留される混合ポッドとを備えるマイクロ混合装置に接続され、このマイクロ混合装置から出力された液体の反応結果から、一方の液体の化学的特性を分析するマイクロ化学分析装置であって、
前記混合ポッド内に撹拌力を与える混合促進手段と、
前記混合ポッド内の前記第１の液体と前記第２の液体の混合の程度を監視する監視手段と、
前記監視手段の監視結果に基づき、前記混合促進手段を制御する混合制御手段と、
前記反応結果を液体の化学的特性を示す物理量に換算する処理手段と、
を備えること、
を特徴とするマイクロ化学分析装置。
【手続補正２】
【補正対象書類名】明細書
【補正対象項目名】００１２
【補正方法】変更
【補正の内容】
【００１２】
上記課題を解決するための第１の態様は、異種の液体を混合して反応させることにより一方の液体の化学分析を行うマイクロ化学分析システムであって、第１の液体と第２の液体とを合流させて送出する流路と、前記第１の液体と前記第２の液体の合流点若しくはそれ以降の流路内に介在して、前記流路よりも膨出した所定容積を有し、前記第１の液体と前記第２の液体が一時貯留される混合ポッドと、前記第１の液体と前記第２の液体の反応結果を検出する分析センサと、前記分析センサが出力する反応結果を液体の化学的特性を示す物理量に換算する処理手段と、を備えること、を特徴とする。
【手続補正３】
【補正対象書類名】明細書
【補正対象項目名】００１３
【補正方法】変更
【補正の内容】
【００１３】
上記課題を解決するための第２の態様は、異種の液体を混合して反応させることにより一方の液体の化学分析を行うマイクロ化学分析システムであって、第１の液体と第２の液体とを合流させて送出する流路と、前記第１の液体と前記第２の液体の合流点若しくはそれ以降の流路内に介在して、前記流路よりも膨出した所定容積を有し、前記第１の液体と前記第２の液体が一時貯留される混合ポッドと、前記混合ポッド内に撹拌力を与える混合促進手段と、前記第１の液体と前記第２の液体の反応結果を検出する分析センサと、前記分析センサが出力する反応結果を液体の化学的特性を示す物理量に換算する処理手段と、を備えること、を特徴とする。
【手続補正４】
【補正対象書類名】明細書
【補正対象項目名】００１４
【補正方法】変更
【補正の内容】
【００１４】
上記課題を解決するための第３の態様は、異種の液体を混合して反応を観察することにより一方の液体の化学分析を行うマイクロ化学分析システムであって、第１の液体と第２の液体とを合流させて送出する流路と、前記第１の液体と前記第２の液体の合流点若しくはそれ以降の流路内に介在して、前記流路よりも膨出した所定容積を有し、前記第１の液体と前記第２の液体が一時貯留される混合ポッドと、前記混合ポッド内に撹拌力を与える混合促進手段と、前記混合ポッド内の前記第１の液体と前記第２の液体の混合の程度を監視する監視手段と、前記監視手段の監視結果に基づき、前記混合促進手段を制御する混合制御手段と、前記第１の液体と前記第２の液体の反応結果を検出する分析センサと、前記分析センサが出力する反応結果を液体の化学的特性を示す物理量に換算する処理手段と、を備えること、を特徴とする。
【手続補正５】
【補正対象書類名】明細書
【補正対象項目名】００１５
【補正方法】変更
【補正の内容】
【００１５】
上記課題を解決するための第４の態様は、混合された異種の液体の反応結果から一方の液体の化学的特性を分析するマイクロ化学分析装置に対して前記反応の結果を出力するマイクロ混合装置であって、第１の液体と第２の液体とを合流させて送出する流路と、前記第１の液体と前記第２の液体の合流点若しくはそれ以降の流路内に介在して、前記流路よりも膨出した所定容積を有し、前記第１の液体と前記第２の液体が一時貯留される混合ポッドと、前記第１の液体と前記第２の液体の反応結果を検出する分析センサと、を備えること、を特徴とする。